(57)【要約】【課題】消費者の興味関心を推定し、その推定した興味関心に関する広告を提供する場合において、消費者に受け入れられ易いかたちで、広告を効果的に提供できるようにする。【解決手段】消費者が何に対してどの程度の興味関心を持っているかの嗜好レベルを推定する嗜好レベル推定部１１と、興味関心があると推定されたテーマに関する広告を選択的に提供する広告提供部１２と、興味関心があると推定されたテーマに対する嗜好レベルに応じて、テーマに関する広告の表示態様を変更する表示態様変更部１３とを備え、あるテーマに興味関心を持っていると推定された消費者に対して、一律に同じ表示態様で広告が提供されるのではなく、嗜好レベルが低い消費者に対してはそれに合わせた表示態様で、嗜好レベルが高い消費者に対してはそれに合わせた表示態様で広告が提供されるようにする。【選択図】図１
2017207936.tif 000002
【特許請求の範囲】
【請求項１】
消費者に関連する情報に基づいて、当該消費者が何に対してどの程度の興味関心を持っているかの嗜好レベルを推定する嗜好レベル推定部と、
上記嗜好レベル推定部により興味関心があると推定された対象または当該対象に対応するカテゴリにより特定されるテーマに関する広告を選択的に提供する広告提供部と、
上記嗜好レベル推定部により推定された嗜好レベルに応じて、上記テーマに関する広告の表示態様を変更する表示態様変更部とを備えたことを特徴とする広告情報提供装置。
【請求項２】
上記表示態様変更部は、上記広告提供部が提供する広告に関連したテーマに対する上記嗜好レベルに基づいて、上記テーマに関する広告の表示態様を変更することを特徴とする請求項１に記載の広告情報提供装置。
【請求項３】
上記広告を表示する画面に表示中のコンテンツのカテゴリを特定するカテゴリ特定部を更に備え、
上記表示態様変更部は、上記広告提供部が提供する広告に関連したテーマに対する上記嗜好レベルと、上記カテゴリ特定部により特定されたカテゴリに対する上記嗜好レベルとに基づいて、上記テーマに関する広告の表示態様を変更することを特徴とする請求項１に記載の広告情報提供装置。
【請求項４】
上記嗜好レベル推定部は、上記消費者に関連する情報内に特定の対象に関する情報が含まれている場合に、当該対象に対して興味関心を持っていると推定するとともに、上記対象に関する情報を所定の規則により数値化した値の大きさにより上記嗜好レベルを推定することを特徴とする請求項１〜３の何れか１項に記載の広告情報提供装置。
【請求項５】
上記嗜好レベル推定部は、上記消費者に関連する情報内に特定の対象に関する情報が含まれている場合に、当該対象および当該対象に対応するカテゴリに対して興味関心を持っていると推定するとともに、上記対象に関する情報を所定の規則により数値化した値の大きさにより、上記対象および当該対象に対応するカテゴリのそれぞれについて上記嗜好レベルを推定することを特徴とする請求項１〜３の何れか１項に記載の広告情報提供装置。
【請求項６】
上記嗜好レベル推定部は、上記消費者に関連する情報内に含まれている上記対象に関して数値化される値、および、上記対象に対応するカテゴリに関して数値化される値に対してそれぞれ重み付けを行い、重み付けした値の大きさにより上記嗜好レベルを推定することを特徴とする請求項５に記載の広告情報提供装置。
【請求項７】
上記表示態様変更部は、上記嗜好レベル推定部により推定された上記嗜好レベルに応じて、上記テーマに関する広告の表示の詳細度を変更することを特徴とする請求項１〜６の何れか１項に記載の広告情報提供装置。
【請求項８】
上記表示態様変更部は、上記嗜好レベル推定部により推定された上記嗜好レベルに応じて、上記テーマに関する広告の詳細情報表示と、上記詳細情報表示への遷移を促すリンク情報表示との何れかを表示するように、上記広告の表示態様を変更することを特徴とする請求項７に記載の広告情報提供装置。
【請求項９】
上記表示態様変更部は、上記嗜好レベル推定部により推定された上記嗜好レベルに応じて、表示データ形式の異なる広告を選択的に表示するように、上記広告の表示態様を変更することを特徴とする請求項１〜６の何れか１項に記載の広告情報提供装置。
【請求項１０】
消費者に関連する情報に基づいて、当該消費者が何に対してどの程度の興味関心を持っているかの嗜好レベルを推定する嗜好レベル推定手段、
上記嗜好レベル推定手段により興味関心があると推定された対象または当該対象に対応するカテゴリにより特定されるテーマに関する広告を選択的に提供する広告提供手段、および
上記嗜好レベル推定手段により推定された嗜好レベルに応じて、上記テーマに関する広告の表示態様を変更する表示態様変更手段
としてコンピュータを機能させるための広告情報提供用プログラム。
【発明の詳細な説明】
【技術分野】
【０００１】
本発明は、広告情報提供装置および広告情報提供用プログラムに関し、特に、消費者の興味関心を推定し、その推定した興味関心に関連する広告を提供する装置に用いて好適なものである。
【背景技術】
【０００２】
従来、広告の効果を上げるための手法として、ターゲティング広告と呼ばれる手法が広く用いられている。これは、広告の提供先となる顧客の個人属性、ウェブサイトでの行動履歴、あるいは商品の購買履歴などの情報をもとに、顧客の興味関心を推測し、ターゲットを絞って特定の商品に関する広告を配信するというものである。この手法を用いて広告配信を行うことにより、費用対効果を高めることが期待されている。
【０００３】
また、消費者の関心度や嗜好度に応じた広告を選定して表示することについて開示した特許も知られている（例えば、特許文献１〜６参照）。
【０００４】
特許文献１には、顧客の関心の高さについて、（１）当該商品群および関連商品群の購買履歴・購買頻度、（２）当該商品群に関する情報・広告へのアクセス履歴・取得頻度、（３）当該商品群に関連するイベント、懸賞等への参加履歴・参加頻度、（４）当該商品群および関連商品群に関するメール等による通知に対する反応、（５）クーポン等の特典の付与に対する反応、等に応じて関心度の高さを判別し、関心度の高さに応じて広告を提供することが記載されている。
【０００５】
特許文献２には、ユーザのスケジュール情報からユーザが現在興味がある事項を推定し、この推定したユーザの興味と広告とから配信条件に適合する広告を選択してスケジュール情報とともに提示することが記載されている。
【０００６】
特許文献３には、登録する際に収集した会員のプロフィール情報と、プロフィール情報に基づいて行われた嗜好度の分析結果とを広告主に提供し、広告ターゲットを選定し、広告主が希望する内容の広告を遂行することが記載されている。
【０００７】
特許文献４には、ユーザのアクセス履歴・入力情報に基づき、ユーザの趣味・趣向をいくつかのカテゴリに分類し、ユーザのＩＰアドレスと対応づけてユーザ趣向データベースに蓄積しておき、ユーザからの広告情報配信要求があった場合に、要求元ＩＰアドレスをキーとしてユーザ趣向データベース内を検索し、ユーザの趣向に最適な広告情報を選択して配信することが記載されている。
【０００８】
特許文献５には、端末における所定のアプリケーションへのユーザの入力内容に応じて、予め定められたエコに関する関心の度合いを示すエコ度を算出する一方、複数の広告データをそれぞれに対してエコ度を関連付けて広告ＤＢに記憶し、算出されたユーザのエコ度が、広告ＤＢにより記憶された条件であるエコ度と所定以内に近似している場合に、当該条件に関連付けられた広告データを抽出してユーザの端末へ送信することが記載されている。
【０００９】
特許文献６には、情報の属性に対するユーザの興味を表す興味度を属性ごとに記憶する興味度情報記憶手段と、情報に対するユーザの操作内容に応じて、情報の属性に対応する興味度を更新する更新手段と、広告の属性に対応する興味度の高い広告の優先度を高くして広告の表示位置を変更して表示する表示制御手段とを備えた広告配信システムが記載されている。
【先行技術文献】
【特許文献】
【００１０】
【特許文献１】特開２００１−１７５７６１号公報
【特許文献２】特開２００２−４１５３７号公報
【特許文献３】特開２００２−４１６４５号公報
【特許文献４】特開２００２−１３２８２２号公報
【特許文献５】特開２０１０−４４６４８号公報
【特許文献６】特開２０１５−２２５６１号公報
【発明の概要】
【発明が解決しようとする課題】
【００１１】
このように、従来の広告配信システムは何れも、何らかの情報に基づいて、何らかの演算によって消費者の興味関心を推定し、その推定した興味関心に関連する広告を配信することにより、広告効果を高めることを図っている。しかしながら、消費者の興味関心を推定しているとは言っても、広告はユーザが自ら能動的に見にいくものではなく、別の主目的でコンピュータやスマートフォンを使用しているときに割り込み的に表示され、受動的に目に入る類のものである。
【００１２】
そのため、表示画面の一部を割いて表示される広告を消費者が煩わしく思うことも少なくない。特に、表示画面の中の比較的大きい面積部分に広告が表示される場合や、動画形式やスクリプト形式の広告のように、比較的処理負荷のかかる所謂「重い広告」が表示される場合には、消費者が不快に感じることがある。これでは、せっかく興味関心を推定して広告配信を行っても、場合によっては逆効果になってしまうこともある。
【００１３】
本発明は、このような問題を解決するために成されたものであり、消費者の興味関心を推定し、その推定した興味関心に関する広告を提供する場合において、消費者に受け入れられ易いかたちで、広告を効果的に提供できるようにすることを目的とする。
【課題を解決するための手段】
【００１４】
上記した課題を解決するために、本発明では、消費者が何に対してどの程度の興味関心を持っているかの嗜好レベルを推定し、興味関心があると推定された対象に関する広告を選択的に提供するようにしている。このとき、本発明では、興味関心があると推定された対象に対する嗜好レベルに応じて、対象に関する広告の表示態様を変更するようにしている。
【発明の効果】
【００１５】
上記のように構成した本発明によれば、ある対象に興味関心を持っていると推定された消費者に対して、一律に同じ表示態様で広告が提供されるのではなく、嗜好レベルが低い消費者に対してはそれに合わせた表示態様で、嗜好レベルが高い消費者に対してはそれに合わせた表示態様で広告を提供することが可能となる。これにより、推定した興味関心に関する対象の広告を提供する場合において、消費者に受け入れられ易いかたちで、広告を効果的に提供することができる。
【図面の簡単な説明】
【００１６】
【図１】本実施形態による広告情報提供装置の機能構成例を示すブロック図である。
【図２】本実施形態の広告提供部により提供される広告の表示例を示す図である。
【図３】本実施形態の変形例に係る広告情報提供装置の機能構成例を示すブロック図である。
【発明を実施するための形態】
【００１７】
以下、本発明の一実施形態を図面に基づいて説明する。図１は、本実施形態による広告情報提供装置の機能構成例を示すブロック図である。図１に示すように、本実施形態の広告情報提供装置１０には、情報記憶部２０および広告データ記憶部３０が接続されている。また、本実施形態の広告情報提供装置１０は、その機能構成として、嗜好レベル推定部１１、広告提供部１２および表示態様変更部１３を備えている。
【００１８】
上記各機能ブロック１１〜１３は、ハードウェア、ＤＳＰ（Digital Signal Processor）、ソフトウェアの何れによっても構成することが可能である。例えばソフトウェアによって構成する場合、上記各機能ブロック１１〜１３は、実際にはコンピュータのＣＰＵ、ＲＡＭ、ＲＯＭなどを備えて構成され、ＲＡＭやＲＯＭ、ハードディスクまたは半導体メモリ等の記録媒体に記憶された広告情報提供用プログラムが動作することによって実現される。
【００１９】
本実施形態の広告情報提供装置１０は、例えば、スマートフォン、タブレット等の携帯端末に実装されるものである。あるいは、広告情報提供装置１０は、パーソナルコンピュータ、車載機等の固定端末に実装されるものであってもよい。以下では、本実施形態の広告情報提供装置１０をスマートフォンに実装するものとして説明する。
【００２０】
情報記憶部２０は、例えば、広告情報提供装置１０が実装されたスマートフォンに対し、インターネット等の通信ネットワークを介して接続されている。具体的には、情報記憶部２０は、インターネット上のサーバ（図示せず）に備えられており、当該サーバを介して広告情報提供装置１０が情報記憶部２０から情報を取得可能に構成されている。なお、情報記憶部２０（これを備えたサーバ）は、ＬＡＮによりスマートフォンと接続するようにしてもよい。あるいは、スマートフォンが情報記憶部２０を内蔵してもよい。
【００２１】
情報記憶部２０は、スマートフォンのユーザ（広告を受け取る消費者）に関連する情報を記憶する。ユーザに関する情報とは、ユーザの興味関心を推定することが可能な情報のことである。例えば、ユーザの個人属性情報（プロフィール情報）、ウェブサイトへのアクセス履歴情報、商品の購買履歴情報、ウェブサイトにおける商品・広告の閲覧履歴情報、イベント等への参加履歴情報、ユーザのスケジュール情報（予定情報）、アンケートへの回答情報などが該当する。なお、ここに挙げた情報は一例であり、これ以外の情報であってもよい。
【００２２】
なお、図１では説明の簡便上、情報記憶部２０を１つのみ示しているが、記憶する情報の種類に応じて個別に備える構成としてもよい。また、上記に例示した情報を全て記憶することを必須とするものではなく、少なくとも何れか１つの情報を記憶していればよい。例えば、商品の購買履歴情報のみが情報記憶部２０に記憶されていることを想定した場合、この購買履歴情報のみからユーザの興味関心を推定することになる。複数の情報の組み合わせからユーザの興味関心を推定する場合は、その推定に使用する複数の情報が少なくとも情報記憶部２０に記憶されていればよい。
【００２３】
情報記憶部２０に記憶される情報は、個々のユーザ毎に分けて管理されている。すなわち、ユーザの氏名などの属性情報、ユーザＩＤ、スマートフォンの識別情報、ＩＰアドレス、ＭＡＣアドレスなど、ユーザを識別可能な情報に関連付けて、上述した種々のユーザに関連する情報が情報記憶部２０に記憶されている。
【００２４】
例えば、ユーザの個人属性情報（プロフィール情報）を情報記憶部２０に記憶する場合は、特定のコミュニケーションサイトにユーザ登録する際に設定したユーザＩＤ等に関連付けて、コミュニケーションサイトに登録された個人属性情報を記憶することが可能である。
【００２５】
また、ウェブサイトへのアクセス履歴情報を情報記憶部２０に記憶する場合は、あらかじめ指定されたウェブサイトにアクセスが行われたときに使われているログインＩＤ（ユーザＩＤ）、あるいは当該ウェブサイトにアクセスしたときに認識されたＩＰアドレス等に関連付けて、当該指定されたウェブサイトへのアクセス履歴情報を記憶することが可能である。ウェブサイトにおける商品・広告の閲覧履歴情報を記憶する場合も同様である。
【００２６】
また、特定のＥＣサイトにおける商品の購買履歴情報を情報記憶部２０に記憶する場合は、購入の際に入力された氏名またはユーザＩＤ、ＥＣサイトにアクセスしたときに認識されたＩＰアドレス等に関連付けて、当該ＥＣサイトにおける購買履歴情報を記憶することが可能である。
【００２７】
また、ユーザのスケジュール情報（予定情報）を情報記憶部２０に記憶する場合は、例えば、スケジュール管理に関するアプリケーションをスマートフォンで利用する際に入力されたユーザＩＤ等に関連付けて、当該アプリケーションにおいてユーザにより入力されたスケジュール情報を記憶することが可能である。
【００２８】
また、イベント等への参加履歴情報やアンケートへの回答情報を情報記憶部２０に記憶する場合は、イベント等への参加応募サイトやアンケートへの回答サイトなどにアクセスが行われたときに使われているログインＩＤ（ユーザＩＤ）、あるいは当該当該サイトにアクセスしたときに認識されたＩＰアドレス等に関連付けて、イベント等への参加履歴情報やアンケートへの回答情報を記憶することが可能である。
【００２９】
なお、以上に説明した情報の取得源およびユーザ別の管理方法は単なる一例であって、これに限定されるものではない。
【００３０】
広告データ記憶部３０は、例えば、広告情報提供装置１０が実装されたスマートフォンに対し、インターネット等の通信ネットワークを介して接続されている。具体的には、広告データ記憶部３０は、インターネット上のサーバ（図示せず）に備えられており、当該サーバを介して広告情報提供装置１０が広告データ記憶部３０から広告データを取得可能に構成されている。なお、広告データ記憶部３０（これを備えたサーバ）は、ＬＡＮによりスマートフォンと接続するようにしてもよい。あるいは、スマートフォンが広告データ記憶部３０を内蔵してもよい。
【００３１】
広告データ記憶部３０は、広告情報提供装置１０に提供する広告データを記憶する。広告の内容は任意であり、商品を対象とするものに限られない。例えば、各種のサービス、イベント等を対象とする広告であってもよい。なお、本実施形態の広告情報提供装置１０は、スマートフォンのユーザに対して、当該ユーザが興味関心を持っていると推定された対象（商品、サービス、イベント等）に関する広告を提供するものである。これを実現可能とするために、広告データ記憶部３０が記憶する広告データは、それがどの対象（商品、サービス、イベント等）に関するものであるかを示す情報が紐付けられている。さらに、その対象に関するカテゴリを示す情報を紐付けて記憶してもよい。
【００３２】
次に、広告情報提供装置１０の機能構成について説明する。嗜好レベル推定部１１は、情報記憶部２０に記憶されたユーザ（消費者）に関連する情報に基づいて、スマートフォンのユーザが何に対してどの程度の興味関心を持っているかの嗜好レベルを推定する。本実施形態の嗜好レベル推定部１１は、ユーザが興味関心を持っているテーマを推定するのみならず、そのテーマに対してどの程度の興味関心を持っているかまで推定する。
【００３３】
本実施形態において、嗜好レベル推定部１１は、情報記憶部２０に記憶されたユーザに関連する情報内に、ある対象に関する情報が含まれている場合に、当該対象、またはそれに加えて当該対象に対応するカテゴリに対して興味関心を持っていると推定する。また、嗜好レベル推定部１１は、当該対象に関する情報を所定の規則により数値化した値の大きさにより、どの程度の興味関心を持っているかの嗜好レベルを推定する。
【００３４】
嗜好レベル推定部１１は、対象および当該対象に対応するカテゴリの両方に対して興味関心を持っていると推定する場合は、対象に関する情報を所定の規則により数値化した値の大きさにより、対象および当該対象に対応するカテゴリのそれぞれについて嗜好レベルを推定する。
【００３５】
例えば、商品の購買履歴情報からユーザの興味関心を推定する場合、購買履歴のある商品およびその商品と同じカテゴリに属する商品に興味関心があると推定することが可能である。この場合、購買履歴のある商品およびその商品と同じカテゴリに属する商品が、「興味関心があると推定されたテーマ」ということになる。なお、購買履歴のある商品のみを興味関心があるテーマと推定するようにしてもよいし、同じカテゴリに属する商品で購買履歴がない商品を興味関心があるテーマと推定するようにしてもよい。
【００３６】
そのテーマに対してどの程度の興味関心を持っているかについては、例えば、購買履歴情報で示される商品の購買回数、購買頻度、購入数、購入金額などの情報をもとに、これらの数値化した値が所定の閾値より大きい場合は嗜好レベルが高く、閾値より小さい場合は嗜好レベルが低いと推定することが可能である。なお、上記閾値より小さい第２の閾値を設定し、第２の閾値より値が小さい場合は、興味関心がないと推定するようにしてもよい。
【００３７】
別の例として、ユーザのスケジュール情報（予定情報）からユーザの興味関心を推定する場合、予定として登録されている対象（趣味、習い事、旅行、イベンなどの具体的な行為）またはその対象と同じカテゴリに興味関心があると推定することが可能である。例えば、野球観戦の予定が登録されている場合、野球観戦という対象そのものまたは野球というカテゴリに興味関心があると推定することが可能である。この場合、野球観戦という対象または野球というカテゴリが、「興味関心があると推定されたテーマ」ということになる。特定球団の野球観戦のみが予定として登録されている場合は、その特定球団に興味関心があると推定することも可能である。
【００３８】
なお、特定球団の野球観戦に関する予定が複数登録されている場合に、特定球団の野球観戦にのみ興味関心ありと推定するか、広く野球観戦に興味関心ありと推定するか、野球全般に興味関心ありと推定するか、特定球団に興味関心ありと推定するかは、あらかじめ任意にルール付けしておくことが可能である。
【００３９】
スケジュール情報からユーザの興味関心を推定する場合において、どの程度の興味関心を持っているかについては、例えば、特定の行為またはその行為と同じカテゴリに属する行為の登録数、登録日程の密度などの情報をもとに、これらの数値化した値が所定の閾値より大きい場合は嗜好レベルが高く、閾値より小さい場合は嗜好レベルが低いと推定することが可能である。なお、上記閾値より小さい第２の閾値を設定し、第２の閾値より値が小さい場合は、興味関心がないと推定するようにしてもよい。
【００４０】
ここで、特定球団の野球観戦に関する予定が複数登録されている場合に、登録されている「特定球団の野球観戦」という対象そのものの他に、「野球観戦」、「野球全般」または「特定球団」という、上記対象に対応するカテゴリにも興味関心があると推定する場合、嗜好レベル推定部１１は、これらの対象およびカテゴリのそれぞれについて、予定の登録数、登録日程の密度などの情報をもとに嗜好レベルを推定する。
【００４１】
なお、単純に登録数や登録日程の密度と閾値とを直接比較するのではなく、登録数、登録日程の密度、あるいはこれに加えてその他の情報をもとに所定の演算によってスコアを算出し、そのスコアと閾値とを比較するようにしてもよい。この場合、興味関心ありと推定された対象そのものに関するスコアを計算する場合と、推定された対象と同じカテゴリに関するスコアを計算する場合とで、異なる重み付けをするようにしてもよい。
【００４２】
例えば、特定球団の野球観戦に関する予定が複数登録されている場合の例において、「特定球団の野球観戦」という対象そのものに興味関心ありと推定する場合は、算出されるスコアが大きくなるように、大きな重み付けをする。これに対し、「野球観戦」、「野球全般」あるいは「特定球団」というカテゴリに興味関心ありと推定する場合は、対象に対する重み付けよりも重み付けを小さくするといった具合である。この例の場合、特定球団の野球観戦に興味関心ありと推定する場合の重みＷ１、野球観戦に興味関心ありと推定する場合の重みＷ２、野球全般に興味関心ありと推定する場合の重みＷ３、特定球団に興味関心ありと推定する場合の重みＷ４を、例えばＷ１＞Ｗ４＞Ｗ２＞Ｗ３などと設定することが可能である。
【００４３】
広告提供部１２は、嗜好レベル推定部１１により興味関心があると推定されたテーマに関する広告を選択的に提供する。具体的には、広告提供部１２は、嗜好レベル推定部１１により興味関心があると推定されたテーマに関連する広告データを広告データ記憶部３０から読み出して、スマートフォンの表示画面に表示する。推定されたテーマに関連する広告データは、広告データと対象またはカテゴリとの紐付け情報によって特定することが可能である。
【００４４】
なお、興味関心があると推定されたテーマに関連する広告データが複数ある場合、広告提供部１２は、その中の何れか１つまたは複数を選択して提供する。どのような基準で広告データを選択するかは、任意にルール付することが可能である。例えば、最新の日付の広告データから優先的に選択して提供することが可能である。あるいは、広告主が優先枠を購入できるようにしておき、優先枠が設定された広告データから優先的に選択して提供することも可能である。その他、任意のルールに従って広告データの選択を行うようにしてよい。
【００４５】
表示態様変更部１３は、嗜好レベル推定部１１により推定された嗜好レベルに応じて、広告提供部１２により提供する広告の表示態様を変更する。具体的には、表示態様変更部１３は、広告提供部１２が提供する広告に関連したテーマに対する嗜好レベルに基づいて、当該広告の表示態様を変更する。
【００４６】
例えば、嗜好レベル推定部１１がユーザの嗜好レベルを「高い／低い」の２段階で推定した場合、表示態様変更部１３は、嗜好レベルが高いと推定されたテーマに関する広告を提供する場合と、嗜好レベルが低いと推定されたテーマに関する広告を提供する場合とで、広告の表示態様を変える。すなわち、例えばユーザが「野球観戦」というテーマに興味関心を持っていると推定された場合でも、野球観戦に関する広告を一律に同じ態様で表示するのではなく、野球観戦に対する興味関心の程度によって、広告の出し方を変えるということである。
【００４７】
表示態様の決定方法としては種々適用が可能である。一例として、表示態様変更部１３は、嗜好レベル推定部１２により推定された嗜好レベルに応じて、興味関心があると推定されたテーマに関する広告の表示の詳細度を変更する。例えば、嗜好レベルが高いと推定されたテーマに関する広告は詳細な情報を含むものとし、嗜好レベルが低いと推定されたテーマに関する広告は簡易な情報のみを含むものとする。
【００４８】
広告表示の詳細度を変える実施形態のより具体的な例として、表示態様変更部１３は、嗜好レベル推定部１２により推定された嗜好レベルに応じて、興味関心があると推定されたテーマに関する広告の詳細情報表示と、当該詳細情報表示への遷移を促すリンク情報表示との何れかを表示するように、広告の表示態様を変更するようにしてもよい。
【００４９】
図２は、広告提供部１２により提供される広告の表示例を示す図である。図２（ａ）は、嗜好レベルが高いと推定されたテーマに関して提供される広告の詳細情報表示を示す。図２（ａ）に示す詳細情報には、例えば、広告のタイトルや種々の説明情報等が含まれている。説明情報の中には、テキスト情報だけでなく、画像情報、動画情報あるいは音声情報が含まれていてもよい。
【００５０】
図２（ｂ）は、嗜好レベルが低いと推定されたテーマに関して提供される広告のリンク情報表示を示す。図２（ｂ）に示すリンク情報には、例えば、広告のタイトルと、図２（ａ）の詳細情報表示に遷移するためのＵＲＬのみが含まれている。タイトルを見て興味を持ったユーザは、ＵＲＬをクリックすることにより、図２（ａ）の表示画面に遷移し、広告の詳細情報を見ることが可能である。なお、ＵＲＬの表示を省略し、広告のタイトル自体にハイパーリンクを付与するようにしてもよい。
【００５１】
広告の表示態様の変更に関する別の例として、表示態様変更部１３は、嗜好レベル推定部１２により推定された嗜好レベルに応じて、表示データ形式の異なる広告を選択的に表示するように、広告の表示態様を変更するようにしてもよい。例えば、嗜好レベルが高いと推定されたテーマに関しては、テキスト情報の他に画像情報あるいは動画情報を含む広告を表示する一方、嗜好レベルが低いと推定されたテーマに関しては、テキスト情報のみから成る広告を表示する。
【００５２】
以上詳しく説明したように、本実施形態の広告情報提供装置１０では、消費者が何に対してどの程度の興味関心を持っているかの嗜好レベルを推定し、興味関心があると推定されたテーマに関する広告を、嗜好レベルに応じた表示態様にて提供するようにしている。
【００５３】
このように構成した本実施形態によれば、あるテーマに興味関心を持っていると推定された消費者に対して、一律に同じ表示態様で広告が提供されるのではなく、嗜好レベルが低い消費者に対してはそれに合わせた簡易な表示態様で、嗜好レベルが高い消費者に対してはそれに合わせた詳細な表示態様で広告を提供することが可能となる。
【００５４】
例えば、嗜好レベルが高いと推定された消費者に対しては、図２（ａ）のように広告の詳細情報をダイレクトに表示することで、ユーザの興味関心に合致している可能性の高い情報をストレートに届けることができる。一方、嗜好レベルが低いと推定された消費者に対しては、図２（ｂ）のように広告のリンク情報をまずは表示し、興味があればクリック操作により詳細情報を見られるようにすることで、ユーザに不快感を与えることなく広告を提供することができる。このように、推定した興味関心に関する広告を提供する場合において、消費者に受け入れられ易いかたちで、広告を効果的に提供することができる。
【００５５】
なお、上記実施形態では、嗜好レベル推定部１１がユーザの興味関心を推定するタイミングについては特に言及しなかったが、任意のタイミングで推定することが可能である。例えば、広告提供部１２がスマートフォンの画面に広告を表示する際に、嗜好レベル推定部１１がユーザの興味関心を推定するようにすることが可能である。あるいは、広告提供部１２がスマートフォンの画面に広告を表示するタイミングとは非同期で、嗜好レベル推定部１１があらかじめユーザの興味関心を推定しておくようにしてもよい。
【００５６】
また、上記実施形態では、広告を表示させるタイミングについては特に言及しなかったが、任意のタイミングに表示させることが可能である。例えば、スマートフォンにインストールされたアプリケーションに広告情報提供装置１０の機能を持たせ、そのアプリケーションの実行中に、アプリケーションで規定されたタイミングとなったときに広告を表示させるようにする。例えば、アプリケーションによって提供されるページの遷移が行われたときに広告を表示させることが可能である。
【００５７】
あるいは、スマートフォンに実装されているウェブブラウザでウェブサイトを閲覧している場合などに、ページの遷移が行われたときに広告を表示させるようにしてもよい。また、同じページを表示し続けている際に、所定の時間が経過したタイミングで広告を切り替えて表示するようにしてもよい。
【００５８】
このように、スマートフォンのアプリケーションやウェブブラウザによって情報が表示されているときに広告を表示する場合、表示中のコンテンツとの関係も含めて、広告の表示態様を決定するようにしてもよい。図３は、この場合における広告情報提供装置１０’の機能構成例を示すブロック図である。なお、この図３において、図１に示した符号と同一の符号を付したものは同一の機能を有するものであるので、ここでは重複する説明を省略する。
【００５９】
図３に示す広告情報提供装置１０’は、その機能構成としてカテゴリ特定部１４を更に備える。また、広告情報提供装置１０’は、表示態様変更部１３に代えて表示態様変更部１３’を備えている。さらに、広告情報提供装置１０’には、コンテンツ情報記憶部４０が接続されている。
【００６０】
コンテンツ情報記憶部４０は、スマートフォンに表示されるページのうち、広告を表示するページ毎に、当該ページに含まれているコンテンツのカテゴリを示す情報を記憶する。１つのページ内に複数のカテゴリに属するコンテンツが含まれている場合は、１つのページについて複数のカテゴリを示す情報を記憶する。
【００６１】
スマートフォンにインストールされたアプリケーションによる提供ページ内に広告を表示する場合、コンテンツ情報記憶部４０は、スマートフォンに内蔵されたものであってよい。すなわち、アプリケーションをスマートフォンにインストールする際に、そのアプリケーションとともにコンテンツのカテゴリ情報がスマートフォン内に記憶される。それがコンテンツ情報記憶部４０となる。
【００６２】
一方、スマートフォンのウェブブラウザによって表示されるウェブページ内に広告を表示する場合、コンテンツ情報記憶部４０は、サーバに備えられている。この場合、広告情報提供装置１０’は、サーバを介してコンテンツ情報記憶部４０からコンテンツのカテゴリ情報を取得可能に構成されている。
【００６３】
カテゴリ特定部１４は、広告を表示する画面に表示中のコンテンツのカテゴリを特定する。具体的には、カテゴリ特定部１４は、スマートフォンの画面に表示中のページを特定し、特定したページ内に含まれているコンテンツのカテゴリ情報をコンテンツ情報記憶部４０から読み出すことにより、表示中のコンテンツのカテゴリを特定する。
【００６４】
表示態様変更部１３’は、広告提供部１２が提供する広告に関連したテーマに対する嗜好レベルと、カテゴリ特定部１４により特定されたカテゴリに対する嗜好レベルとに基づいて、広告の表示態様を変更する。
【００６５】
例えば、嗜好レベルを「高い／低い」の２段階に分ける場合、表示態様変更部１３’は、次の４つのパターンで広告の表示態様を変える。
１）嗜好レベルが高いと推定されたテーマに対応するカテゴリのコンテンツを表示中に、嗜好レベルが高いと推定されたテーマに関する広告を提供する場合
２）嗜好レベルが低いと推定されたテーマに対応するカテゴリのコンテンツを表示中に、嗜好レベルが高いと推定されたテーマに関する広告を提供する場合
３）嗜好レベルが高いと推定されたテーマに対応するカテゴリのコンテンツを表示中に、嗜好レベルが低いと推定されたテーマに関する広告を提供する場合
４）嗜好レベルが低いと推定されたテーマに対応するカテゴリのコンテンツを表示中に、嗜好レベルが低いと推定されたテーマに関する広告を提供する場合
【００６６】
具体的には、パターン１）の場合は最も詳細な情報を含む広告を表示し、パターン２）の場合は中程度に詳細な情報を含む広告を表示し、パターン３）およびパターン４）の場合は簡易な情報のみを含む広告を表示するといったように、広告の表示態様を変更することが可能である。なお、これは単なる一例であり、これ以外のルールで表示態様を変更するようにしてもよい。
【００６７】
なお、上記実施形態では、ユーザの嗜好レベルを「高い／低い」の２段階で推定する例について説明したが、３段階以上に分けて推定するようにしてもよい。この場合、広告の表示態様も３段階以上に分けて、嗜好レベルに応じて表示するようにする。
【００６８】
また、上記実施形態では、興味関心があると推定されたテーマに関する広告の表示の詳細度や、広告の表示データ形式を変更する例について説明したが、本発明はこれに限定されない。例えば、広告の表示サイズ、画面全体に占める広告の表示占有率などを嗜好レベルに応じて変更するようにしてもよい。
【００６９】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００７０】
１０，１０’  広告情報提供装置
１１  嗜好レベル推定部
１２  広告提供部
１３，１３’  表示態様変更部
１４  カテゴリ特定部
【図１】
2017207936.tif 000003
【図２】
2017207936.tif 000004
【図３】
2017207936.tif 000005